(57)【要約】【課題】発光装置から発せられる光の分布に基づく処理で使用される処理パラメータとして、高精度な処理を実現する処理パラメータを得ることができる技術を提供する。【解決手段】本発明の情報処理装置は、対応光源部が発光する第１発光パターンに発光パターンが制御される場合において発光部から発せられる光の分布に関する第１プロファイルデータを取得する第１取得手段と、周辺光源部が発光する第２発光パターンに発光パターンが制御される場合において発光部から発せられる光の分布の測定結果に基づく第２プロファイルデータを取得する第２取得手段と、第３発光パターン、第１プロファイルデータ、及び、第２プロファイルデータに基づいて、第３発光パターンに対応する補正パラメータを生成する生成手段と、を有する。【選択図】図１
2018092082.tif 000002
【特許請求の範囲】
【請求項１】
複数の光源部を有する発光部と、前記発光部から発せられた光を入力画像データに基づいて変調することにより画像を表示する表示部と、を有する表示装置の前記入力画像データと、前記発光部の発光パターンとの少なくとも一方を補正する補正パラメータを生成する情報処理装置であって、
前記複数の光源部のそれぞれについて用いられるプロファイルデータであり、且つ、前記複数の光源部のうちの対応光源部が発光する第１発光パターンに前記発光パターンが制御される場合において前記発光部から発せられる光の分布である第１分布に関するプロファイルデータである第１プロファイルデータを取得する第１取得手段と、
前記複数の光源部のそれぞれについて用いられるプロファイルデータであり、且つ、前記対応光源部の周辺に存在する光源部である周辺光源部が発光する第２発光パターンに前記発光パターンが制御される場合において前記発光部から発せられる光の分布である第２分布の測定結果に基づくプロファイルデータである第２プロファイルデータを取得する第２取得手段と、
前記第１発光パターンおよび前記第２発光パターンとは異なる第３発光パターン、前記第１プロファイルデータ、及び、前記第２プロファイルデータに基づいて、前記第３発光パターンに対応する補正パラメータを生成する生成手段と、
を有することを特徴とする情報処理装置。
【請求項２】
前記複数の光源部のそれぞれの発光状態は、前記入力画像データに基づいて個別に制御され、
前記第３発光パターンは、前記複数の光源部のそれぞれの発光状態が前記入力画像データに基づいて個別に制御された発光パターンである
ことを特徴とする請求項１に記載の情報処理装置。
【請求項３】
前記発光部は、前記複数の光源部から発せられた光の波長を変換する変換部材、をさらに有する
ことを特徴とする請求項１または２に記載の情報処理装置。
【請求項４】
前記変換部材は、前記複数の光源部から発せられた光の波長を変換する量子ドットを有する
ことを特徴とする請求項３に記載の情報処理装置。
【請求項５】
前記複数の光源部のそれぞれは、所定の光を発する１つ以上の発光素子を有し、
前記変換部材は、前記所定の光の波長を変換する
ことを特徴とする請求項３または４に記載の情報処理装置。
【請求項６】
前記複数の光源部のそれぞれは、前記所定の光を発する前記１つ以上の発光素子として、青色光を発する１つ以上の発光素子と、紫外光を発する１つ以上の発光素子との少なくとも一方を有する
ことを特徴とする請求項５に記載の情報処理装置。
【請求項７】
前記複数の光源部のそれぞれは、白色光を発する１つ以上の発光素子を有する
ことを特徴とする請求項１〜６のいずれか１項に記載の情報処理装置。
【請求項８】
前記複数の光源部のそれぞれは、発光色が互いに異なる複数の発光素子を有する
ことを特徴とする請求項１〜７のいずれか１項に記載の情報処理装置。
【請求項９】
前記複数の光源部のそれぞれは、赤色光を発する１つ以上の発光素子、緑色光を発する
１つ以上の発光素子、及び、青色光を発する１つ以上の発光素子を有する
ことを特徴とする請求項８に記載の情報処理装置。
【請求項１０】
前記第２プロファイルデータは、前記第１プロファイルデータから推定される第２分布と、測定された第２分布との差を示す
ことを特徴とする請求項１〜９のいずれか１項に記載の情報処理装置。
【請求項１１】
前記第１分布と前記第２分布のそれぞれは、輝度分布を含み、
前記補正パラメータは、前記入力画像データの輝度と前記複数の光源部のそれぞれの発光輝度との少なくとも一方を補正するパラメータである
ことを特徴とする請求項１〜１０のいずれか１項に記載の情報処理装置。
【請求項１２】
前記第１分布と前記第２分布のそれぞれは、色分布を含み、
前記補正パラメータは、前記入力画像データの色と前記複数の光源部のそれぞれの発光色との少なくとも一方を補正するパラメータである
ことを特徴とする請求項１〜１１のいずれか１項に記載の情報処理装置。
【請求項１３】
前記第１分布と前記第２分布のそれぞれは、前記色分布として、ＸＹＺ三刺激値のＸ値の分布と、ＸＹＺ三刺激値のＺ値の分布とを含む
ことを特徴とする請求項１２に記載の情報処理装置。
【請求項１４】
前記生成手段は、
前記複数の光源部のそれぞれについて、その光源部を前記対応光源部として用いて、前記第１プロファイルデータを、前記第２プロファイルデータと前記周辺光源部の前記第３発光パターンに対応する対応発光状態とに基づいて補正し、
前記複数の光源部にそれぞれ対応する補正後の複数の第１プロファイルデータと、前記第３発光パターンとに基づいて、前記補正パラメータを生成する
ことを特徴とする請求項１〜１３のいずれか１項に記載の情報処理装置。
【請求項１５】
前記発光部の発光面は、前記複数の光源部にそれぞれ対応する複数の部分領域を有し、
前記生成手段は、
前記周辺光源部の発光状態が対応発光状態に制御される場合において前記対応光源部に対応する部分領域から発せられる光に前記周辺光源部からの光が与える影響の度合いを、前記周辺光源部の対応発光状態に基づいて推定し、
前記第２プロファイルデータと前記影響の度合いとに基づいて、前記第１プロファイルデータを補正する
ことを特徴とする請求項１４に記載の情報処理装置。
【請求項１６】
前記補正手段は、
前記第３発光パターンに前記発光パターンが制御される場合において前記発光部から発せられる光の分布である第３分布を、前記第１プロファイルデータ、前記第２プロファイルデータ、及び、前記第３発光パターンに基づいて推定し、
前記第３分布に基づいて前記補正パラメータを生成する
ことを特徴とする請求項１〜１５のいずれか１項に記載の情報処理装置。
【請求項１７】
前記補正手段は、
前記複数の光源部のそれぞれについて、その光源部を前記対応光源部として用いて、前記第３発光パターンに前記発光パターンが制御される場合において前記対応光源部から発せられて前記発光部から発せられる光の分布である第４分布を、前記第１プロファイルデータ、前記第２プロファイルデータ、前記対応光源部の対応発光状態、及び、前記周辺
光源部の対応発光状態に基づいて推定し、
前記複数の光源部にそれぞれ対応する複数の第４分布を合成することにより、前記第３分布を推定する
ことを特徴とする請求項１６に記載の情報処理装置。
【請求項１８】
請求項１〜１７のいずれか１項に記載の情報処理装置を有することを特徴とする表示装置。
【請求項１９】
複数の光源部を有する発光部と、前記発光部から発せられた光を入力画像データに基づいて変調することにより画像を表示する表示部と、を有する表示装置の前記入力画像データと、前記発光部の発光パターンとの少なくとも一方を補正する補正パラメータを生成する情報処理方法であって、
前記複数の光源部のそれぞれについて用いられるプロファイルデータであり、且つ、前記複数の光源部のうちの対応光源部が発光する第１発光パターンに前記発光パターンが制御される場合において前記発光部から発せられる光の分布である第１分布に関するプロファイルデータである第１プロファイルデータを取得するステップと、
前記複数の光源部のそれぞれについて用いられるプロファイルデータであり、且つ、前記対応光源部の周辺に存在する光源部である周辺光源部が発光する第２発光パターンに前記発光パターンが制御される場合において前記発光部から発せられる光の分布である第２分布の測定結果に基づくプロファイルデータである第２プロファイルデータを取得するステップと、
前記第１発光パターンおよび前記第２発光パターンとは異なる第３発光パターン、前記第１プロファイルデータ、及び、前記第２プロファイルデータに基づいて、前記第３発光パターンに対応する補正パラメータを生成するステップと、
を有することを特徴とする情報処理方法。
【請求項２０】
請求項１９に記載の情報処理方法の各ステップをコンピュータに実行させるためのプログラム。
【発明の詳細な説明】
【技術分野】
【０００１】
本発明は、情報処理装置、表示装置、及び、情報処理方法に関する。
【背景技術】
【０００２】
従来、液晶表示装置用のバックライト装置の光源として冷陰極蛍光管（ＣＣＦＬ）が用いられてきたが、近年、光源として発光ダイオード（ＬＥＤ）を用いたバックライト装置が増えてきている。ＬＥＤは点光源であるため、バックライト装置の光源としてＬＥＤを用いる場合には、ＬＥＤの配置、光の拡散構造、光の反射構造などを工夫して、バックライト装置から発せられる光のムラ（輝度ムラ、色ムラ、等）の発生を抑制する必要がある。特に、発光色が互いに異なる複数のＬＥＤを用いたバックライト装置では、上記ムラが生じやすいため、上記工夫が必要である。発光色が互いに異なる複数のＬＥＤとして、例えば、赤色光を発するＲ−ＬＥＤ、緑色光を発するＧ−ＬＥＤ、青色光を発するＢ−ＬＥＤ、等が使用される。
【０００３】
また、Ｂ−ＬＥＤと、Ｒ蛍光体およびＧ蛍光体を有する波長変換部材とを有する発光装置も提案されている。Ｒ蛍光体は、青色光によって励起が引き起こされることにより赤色光を発する蛍光体である。Ｇ蛍光体は、青色光によって励起が引き起こされることにより緑色光を発する蛍光体である。上記発光装置では、Ｂ−ＬＥＤからの青色光の一部がＲ蛍光体によって赤色光に変換され、当該赤色光が波長変換部材から出射される。また、Ｂ−ＬＥＤからの青色光の一部がＧ蛍光体によって緑色光に変換され、当該緑色光が波長変換部材から出射される。そして、Ｂ−ＬＥＤからの青色光の一部が、変換されずに、波長変換部材から出射される（透過）。その結果、青色光、赤色光、及び、緑色光を合成した合成光が発光装置から発せられるため、発光装置からの光として広色域の光を得ることができる。
【０００４】
近年では、励起が引き起こされることにより純度の高い光を生成することができる蛍光体（波長変換素子）として、量子ドットが提案されている。量子ドットは、紫外光、青色光、等に反応して、量子ドットの粒径に応じた光を発する蛍光体である。量子ドットを使用すれば、青色光から半値幅が４０ｎｍ程度の光（赤色光、緑色光、等）を得ることができるため、発光装置から発せられる光として、よりも広色域の光を得ることができる。量子ドットを使用した発光装置は、例えば、特許文献１に開示されている。特許文献１に開示の技術では、波長変換部材として、量子ドットを含有するシート状の部材（量子ドットシート）が使用されている。
【０００５】
また、バックライト装置に関する技術として、複数のＬＥＤの発光輝度を個別に制御する技術が提案されている。複数のＬＥＤの発光輝度を個別に制御することにより、バックライト装置の発光輝度を部分的に変更することができる。このような制御は「ローカルディミング制御」と呼ばれる。例えば、ローカルディミング制御では、画面を構成する複数の分割表示領域のそれぞれについて、画像データの輝度値を分析し、且つ、輝度値の分析結果に基づいてＬＥＤの発光輝度を制御する処理が行われることにより、表示画像のコントラストが高められる。
【０００６】
ローカルディミング制御に関する技術は、例えば、特許文献２に開示されている。特許文献２に開示の技術では、バックライト装置が複数のブロックからなり、注目ブロックと周辺ブロックとによるバックライト装置の平均輝度が、所定のプロファイルデータを用いて算出される。所定のプロファイルデータは、１つのブロック（光源）から発せられてバックライト装置から発せられる光の分布を示す。そして、注目ブロックの輝度を平均輝度
から減算することにより、注目ブロックに対して周辺ブロックが与える影響の度合いが算出される。その後、画像データに基づく注目ブロックの必要輝度と、上記影響の度合い（減算結果）との差に基づいて、注目ブロックの発光輝度が算出される。
【先行技術文献】
【特許文献】
【０００７】
【特許文献１】特開２０１２−０２２０２８号公報
【特許文献２】特開２００９−２５１５７０号公報
【発明の概要】
【発明が解決しようとする課題】
【０００８】
ＬＥＤからの光が光学部材、波長変換部材、等で反射される度に、ＬＥＤからの光の分光特性は変化する。また、ＬＥＤからの光が光学部材、波長変換部材、等を透過する度に、ＬＥＤからの光の分光特性は変化する。光学部材は、反射板、反射シート、拡散板、拡散シート、ＢＥＦ（Ｂｒｉｇｈｔｎｅｓｓ  Ｅｎｈａｎｃｅｍｅｎｔ  Ｆｉｌｍ）、ＤＢＥＦ（Ｄｕａｌ  Ｂｒｉｇｈｔｎｅｓｓ  Ｅｎｈａｎｃｅｍｅｎｔ  Ｆｉｌｍ）、等である。量子ドットを有する波長変換部材が発光装置で使用される場合には、ＬＥＤからの光が波長変換部材を透過する距離、ＬＥＤからの光が量子ドットに当たる回数、等に応じて、ＬＥＤからの光の分光特性が変化する。ここで、波長変換部材が、青色光を緑色光に変換する量子ドットと、青色光を赤色光に変換する量子ドットを有する場合を考える。この場合には、Ｂ−ＬＥＤからの青色光が量子ドットに当たる回数の増加により、発光装置から発せられる光の色が黄色に近づく。例えば、或る分割表示領域に対応するＢ−ＬＥＤから他の分割表示領域へ漏れ込む光（漏れ光）では、Ｂ−ＬＥＤからの青色光が波長変換部材を透過する距離が長く、Ｂ−ＬＥＤからの青色光が量子ドットに当たる回数が多い。そのため、発光装置から発せられる光の色は、漏れ光によって黄色に近づけられる。発光装置から発せられる光の色が黄色に近づくことにより、発光装置から発せられる光の輝度も増す。
【０００９】
そして、上述した分光特性の変化を含む様々な要因により、光源から発せられて発光装置から発せられる光の分布の形状は、発光装置の発光パターンに依存して変化する。しかしながら、特許文献２に開示の技術では、プロファイルデータは固定であるため、発光装置から発せられる光の分布に基づく処理で使用される処理パラメータとして、高精度な処理を実現する処理パラメータを得ることができない。そのため、発光装置から発せられる光の分布に基づく処理として、高精度な処理を実現することができない。
【００１０】
本発明は、発光装置から発せられる光の分布に基づく処理で使用される処理パラメータとして、高精度な処理を実現する処理パラメータを得ることができる技術を提供することを目的とする。
【課題を解決するための手段】
【００１１】
本発明の第１の態様は、
複数の光源部を有する発光部と、前記発光部から発せられた光を入力画像データに基づいて変調することにより画像を表示する表示部と、を有する表示装置の前記入力画像データと、前記発光部の発光パターンとの少なくとも一方を補正する補正パラメータを生成する情報処理装置であって、
前記複数の光源部のそれぞれについて用いられるプロファイルデータであり、且つ、前記複数の光源部のうちの対応光源部が発光する第１発光パターンに前記発光パターンが制御される場合において前記発光部から発せられる光の分布である第１分布に関するプロファイルデータである第１プロファイルデータを取得する第１取得手段と、
前記複数の光源部のそれぞれについて用いられるプロファイルデータであり、且つ、前
記対応光源部の周辺に存在する光源部である周辺光源部が発光する第２発光パターンに前記発光パターンが制御される場合において前記発光部から発せられる光の分布である第２分布の測定結果に基づくプロファイルデータである第２プロファイルデータを取得する第２取得手段と、
前記第１発光パターンおよび前記第２発光パターンとは異なる第３発光パターン、前記第１プロファイルデータ、及び、前記第２プロファイルデータに基づいて、前記第３発光パターンに対応する補正パラメータを生成する生成手段と、
を有することを特徴とする情報処理装置である。
【００１２】
本発明の第２の態様は、上述した情報処理装置を有することを特徴とする表示装置である。
【００１３】
本発明の第３の態様は、
複数の光源部を有する発光部と、前記発光部から発せられた光を入力画像データに基づいて変調することにより画像を表示する表示部と、を有する表示装置の前記入力画像データと、前記発光部の発光パターンとの少なくとも一方を補正する補正パラメータを生成する情報処理方法であって、
前記複数の光源部のそれぞれについて用いられるプロファイルデータであり、且つ、前記複数の光源部のうちの対応光源部が発光する第１発光パターンに前記発光パターンが制御される場合において前記発光部から発せられる光の分布である第１分布に関するプロファイルデータである第１プロファイルデータを取得するステップと、
前記複数の光源部のそれぞれについて用いられるプロファイルデータであり、且つ、前記対応光源部の周辺に存在する光源部である周辺光源部が発光する第２発光パターンに前記発光パターンが制御される場合において前記発光部から発せられる光の分布である第２分布の測定結果に基づくプロファイルデータである第２プロファイルデータを取得するステップと、
前記第１発光パターンおよび前記第２発光パターンとは異なる第３発光パターン、前記第１プロファイルデータ、及び、前記第２プロファイルデータに基づいて、前記第３発光パターンに対応する補正パラメータを生成するステップと、
を有することを特徴とする情報処理方法である。
【００１４】
本発明の第４の態様は、上述した情報処理方法の各ステップをコンピュータに実行させるためのプログラムである。
【発明の効果】
【００１５】
本発明によれば、発光装置から発せられる光の分布に基づく処理で使用される処理パラメータとして、高精度な処理を実現する処理パラメータを得ることができる。
【図面の簡単な説明】
【００１６】
【図１】実施例１に係る表示装置の構成の一例
【図２】実施例１に係る発光部から発せられる光の一例
【図３】実施例１に係る発光部から発せられる光の一例
【図４】実施例１に係る分割表示領域の一例
【図５】実施例１に係る単発光プロファイルデータの一例
【図６】実施例１に係る測定された基準周辺発光分布の一例
【図７】実施例１に係る推定された基準周辺発光分布の一例
【図８】実施例１に係る周辺発光プロファイルデータの一例
【図９】実施例１に係る発光制御値の分布の一例
【図１０】実施例１に係る影響度の分布の一例
【図１１】実施例１に係る表示発光分布の推定方法の一例
【図１２】実施例２に係る表示装置の構成の一例
【発明を実施するための形態】
【００１７】
＜実施例１＞
以下、本発明の実施例１について説明する。以下では、発光部（発光装置）から発せられた光を変調することにより画面に画像を表示する表示装置が本実施例に係る情報処理装置を有する例を説明する。しかしながら、情報処理装置は、表示装置とは別体の装置であってもよい。例えば、情報処理装置は、表示装置とは別体のパーソナルコンピュータ（ＰＣ）であってもよい。情報処理装置は、表示装置の入力画像データと発光部の発光パターンとの少なくとも一方を補正する補正パラメータを生成する。
【００１８】
また、表示装置は、発光部から発せられた光を変調することにより画面に画像を表示する装置であれば、どのような装置であってもよい。例えば、表示装置は、透過型の液晶表示装置、反射型の液晶表示装置、等であってもよい。表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。表示装置は、広告表示装置、標識表示装置、等であってもよい。表示装置は、カラー表示装置（カラー画像を表示可能な表示装置）であってもよいし、モノクロ表示装置（モノクロ画像のみを表示可能な表示装置）であってもよい。
【００１９】
［課題］
本実施例において解決される課題の具体例を説明する。図２（Ａ）は、本実施例に係る発光部１０２の断面の一例を示す。発光部１０２は、複数の光源部と、変換部材（波長変換部材）とを有する。変換部材は、複数の光源部から発せられた光の波長を変換する。
【００２０】
図２（Ａ）には、１つの光源部として、青色光を発する発光ダイオード（ＬＥＤ）である１つのＢ−ＬＥＤ１２０が示されている。Ｂ−ＬＥＤ１２０は、反射板（基板）１２２上に設けられている。そして、変換部材として、量子ドットシート１２３が示されている。量子ドットシート１２３は、複数のＲ量子ドットと複数のＧ量子ドットとを含有するシート状の部材である。Ｒ量子ドットは、青色光によって励起が引き起こされることにより赤色光を発する量子ドットである。Ｇ量子ドットは、青色光によって励起が引き起こされることにより緑色光を発する量子ドットである。
【００２１】
発光部１０２では、Ｂ−ＬＥＤ１２０から発せられた青色光の一部がＲ量子ドットによって赤色光に変換され、当該赤色光が量子ドットシート１２３から出射される。また、Ｂ−ＬＥＤ１２０から発せられた青色光の一部がＧ量子ドットによって緑色光に変換され、当該緑色光が量子ドットシート１２３から出射される。そして、Ｂ−ＬＥＤ１２０から発せられた青色光の一部が、変換されずに、量子ドットシート１２３から出射される。
【００２２】
図２（Ａ）の例では、Ｂ−ＬＥＤ１２０と量子ドットシート１２３の間に光学部材１２１が設けられており、Ｂ−ＬＥＤ１２０から発せられた青色光は、光学部材１２１を介して量子ドットシート１２３に入射する。光学部材１２１は、入射した光に光学的な変化を与え、光学的な変化が与えられた後の光を出射する。光学部材１２１は、拡散板、拡散シート、ＢＥＦ（Ｂｒｉｇｈｔｎｅｓｓ  Ｅｎｈａｎｃｅｍｅｎｔ  Ｆｉｌｍ）、ＤＢＥＦ（Ｄｕａｌ  Ｂｒｉｇｈｔｎｅｓｓ  Ｅｎｈａｎｃｅｍｅｎｔ  Ｆｉｌｍ）、等である。
【００２３】
発光部１０２から光が発せられる際に、Ｂ−ＬＥＤ１２０からの光は、反射板１２２、量子ドットシート１２３、光学部材１２１、等で反射されたり、量子ドットシート１２３、光学部材１２１、等を透過したりする。しかしながら、反射板１２２、量子ドットシート１２３、光学部材１２１、等の反射特性と、量子ドットシート１２３、光学部材１２１
、等の透過特性とは、光の全周波数帯域に渡って一様ではない。そのため、Ｂ−ＬＥＤ１２０からの光の分光特性は、上記反射の度に変化し、上記透過の度に変化する。特に、Ｂ−ＬＥＤ１２０からの光の分光特性は、量子ドットシート１２３において大きく変化する。そして、量子ドットシート１２３における分光特性の変化の大きさは、Ｂ−ＬＥＤ１２０からの光が量子ドットシート１２３を透過する距離（透過距離）、Ｂ−ＬＥＤ１２０からの光が量子ドットに当たる回数（衝突回数）、等に依存して変化する。
【００２４】
図２（Ａ）には、Ｂ−ＬＥＤ１２０から発せられた光の拡散の様子が示されている。光１２４，１２５，１２６は、Ｂ−ＬＥＤ１２０から発せられて量子ドットシート１２３から発せられた光である。光１２４は、Ｂ−ＬＥＤ１２０から直上方向に発せられて、光学部材１２１と量子ドットシート１２３を透過した光である。光１２５は、Ｂ−ＬＥＤ１２０から斜め方向に発せられて、光学部材１２１と量子ドットシート１２３を透過した光である。光１２６は、Ｂ−ＬＥＤ１２０から斜め方向に発せられて、光学部材１２１と反射板１２２で反射されて、光学部材１２１と量子ドットシート１２３を透過した光である。
【００２５】
図２（Ｂ）は、Ｂ−ＬＥＤ１２０のみが点灯した状態で発光部１０２から発せられた光の強度（輝度）分布１２８の一例を示す。強度分布１２８は、例えば、Ｂ−ＬＥＤ１２０の直上の位置に設けられたカメラ１２７の撮影結果から得られる。図２（Ｂ）の横軸は、発光部１０２の発光面に平行な方向の位置を示す。図２（Ｂ）の縦軸は、光の強度（輝度）を示す。Ｂ−ＬＥＤ１２０から発せられた光は、Ｂ−ＬＥＤ１２０から遠ざかるにつれ減衰する。そのため、強度分布１２８では、Ｂ−ＬＥＤ１２０から遠ざかるにつれ光の強度が低下する。
【００２６】
図２（Ｃ）は、発光部１０２から発せられる光の分光特性の一例を示す。図２（Ｃ）の横軸は光の波長を示し、図２（Ｃ）の縦軸は光の強度を示す。分光特性（スペクトル）１２９は光１２４に対応し、分光特性１３０は光１２５に対応し、分光特性１３１は光１２６に対応する。Ｂ−ＬＥＤ１２０から斜め方向に発せられた青色光では、Ｂ−ＬＥＤ１２０から直上方向に発せられた青色光と比較して、透過距離が長く、衝突回数が多い。そのため、Ｂ−ＬＥＤ１２０から斜め方向に発せられ青色光では、Ｂ−ＬＥＤ１２０から直上方向に発せられた青色光と比較して、量子ドットシート１２３によって赤色光と緑色光に変換される青色光の割合が大きい。その結果、図２（Ｃ）に示すように、分光特性１３０，１３１では、分光特性１２９と比較して、青色光の強度が低くなり、発光部１０２から発せられる光の色が黄色に近くなる。発光部１０２から発せられる光の色が黄色に近づくことにより、発光部１０２から発せられる光の強度も増す。
【００２７】
また、Ｂ−ＬＥＤ１２０から発せられて量子ドットシート１２３を透過した青色光が量子ドットシート１２３の側へ反射されると、Ｂ−ＬＥＤ１２０から発せられた青色光が量子ドットシート１２３を複数回透過することとなる。Ｂ−ＬＥＤ１２０からの青色光が量子ドットシート１２３を透過する度に、当該青色光の一部が赤色光と緑色光に変換される。そのため、Ｂ−ＬＥＤ１２０からの青色光が量子ドットシート１２３を透過する回数（透過回数）の増加によって、発光部１０２から発せられる光の色が黄色に近づけられる。さらに、量子ドットによって得られた光（赤色光、緑色光、等）は、当該量子ドットから様々な方向へ拡散される。これにより、発光部１０２から発せられる光に含まれる赤色光と緑色光が増すため、発光部１０２から発せられる光の色が黄色に近づけられる。
【００２８】
発光部１０２では、様々な要因により、（１つの）Ｂ−ＬＥＤから発せられて発光部１０２から発せられる光の分布の形状が、発光部１０２の発光パターンに依存して変化する。上記様々な要因は、上述した分光特性の変化を含む。
【００２９】
図３（Ａ）は、発光部１０２の断面の一例を示す。図３（Ａ）には、２つの光源部であ
る２つのＢ−ＬＥＤ１３２，１３３が示されている。図３（Ａ）には、Ｂ−ＬＥＤ１３２，１３３から発せられた光の拡散の様子が示されている。光１３７，１３８，１３９は、Ｂ−ＬＥＤ１３２から発せられて量子ドットシート１２３から発せられた光である。光１４０，１４１，１４２は、Ｂ−ＬＥＤ１３３から発せられて量子ドットシート１２３から発せられた光である。
【００３０】
図３（Ｂ）は、発光部１０２から発せられた光の強度分布の一例を示す。強度分布１４３は、Ｂ−ＬＥＤ１３２のみが点灯した状態で発光部１０２から発せられた光の強度分布であり、強度分布１４４は、Ｂ−ＬＥＤ１３３のみが点灯した状態で発光部１０２から発せられた光の強度分布である。そして、強度分布１４５は、Ｂ−ＬＥＤ１３２，１３３のみが点灯した状態で発光部１０２から発せられた光の強度分布である。強度分布１４３〜１４５は、例えば、Ｂ−ＬＥＤ１３２とＢ−ＬＥＤ１３３の中間位置に対向するように設けられたカメラ１４８の撮影結果から得られる。図３（Ｂ）から、強度分布１４５では、上記中間位置での強度Ｌ２が、強度分布１４３の強度Ｌ１と強度分布１４４の強度Ｌ１との和（２×Ｌ１）よりも大きいことがわかる。
【００３１】
図３（Ｂ）のような現象の存在は、「Ｂ−ＬＥＤから発せられて発光部１０２から発せられる光の輝度分布の形状の、発光部１０２の発光パターンに依存した変化の存在」とも言える。そして、発光部１０２からの光に含まれる緑色光と赤色光の割合の、透過距離が長い光、透過回数が多い光、等（例えば、光１３８，１４１，１３９，１４２）による増加が、上記現象の原因の１つとして挙げられる。同様の原因により、Ｂ−ＬＥＤから発せられて発光部１０２から発せられる光の色分布の形状なども、発光部１０２の発光パターンに依存して変化する。
【００３２】
図３（Ｃ）は、発光部１０２から発せられる光の分光特性の一例を示す。分光特性１４６，１４７は、上記中間位置に対応する。分光特性１４６は、Ｂ−ＬＥＤ１３２のみが点灯した状態に対応し、分光特性１４７は、Ｂ−ＬＥＤ１３２，１３３のみが点灯した状態に対応する。分光特性１４６の強度から分光特性１４７の強度への増加において、青色光の強度の増加Ｂｒに比べ、緑色光の強度の増加Ｇｒと、赤色光の強度の増加Ｒｒとが大きい。このような強度の増加は、「発光部１０２からの光に含まれる緑色光と赤色光の割合の、透過距離が長い光、透過回数が多い光、等による増加」とも言える。そのため、発光部１０２からの光に含まれる緑色光と赤色光の割合の、透過距離が長い光、透過回数が多い光、等による増加が、上記現象の原因の１つとして挙げられる。
【００３３】
ここで、複数のＢ−ＬＥＤの発光強度（発光輝度）が個別に制御されることがある。このような制御は「ローカルディミング制御」と呼ばれる。また、発光部１０２から発せられる光の分布に基づいて様々な処理が行われることがある。例えば、発光部１０２からの光の輝度ずれ、発光部１０２からの光の色ずれ、表示画像（画面に表示された画像）の輝度ムラ、表示画像の色ムラ、表示画像の輝度ずれ、表示画像の色ずれ、等を抑制する処理が行われることがある。
【００３４】
発光部１０２から発せられる光の分布に基づく従来の処理方法として、各Ｂ−ＬＥＤから発せられる光の強度分布が図２（Ｂ）の強度分布１２８の形状と同様の形状を有するとみなす方法がある。しかしながら、そのような方法では、分布の形状の上記変化は考慮されないため、高精度な処理を実現することはできない。従来の他の処理方法でも、分布の形状の上記変化は考慮されないため、高精度な処理を実現することはできない。
【００３５】
なお、発光部（発光装置）の構成は上記構成に限られない。例えば、１つの光源部が複数の発光素子を有していてもよい。発光素子はＬＥＤに限られない。例えば、発光素子として、有機ＥＬ素子、半導体レーザー、プラズマ素子、冷陰極蛍光管（ＣＣＦＬ）、等が
使用されてもよい。変換部材の変換特性（変換前の波長、変換後の波長、等）は特に限定されない。変換部材によって波長が変換される光（所定の光）は青色光に限られない。例えば、所定の光は、紫外光（近紫外光を含む）であってもよい。青色光と紫外光の両方が所定の光として使用されてもよい。即ち、複数の光源部のそれぞれは、所定の光を発する１つ以上の発光素子として、青色光を発する１つ以上の発光素子と、紫外光を発する１つ以上の発光素子との少なくとも一方を有していてもよい。青色光や紫外光以外の光を含む光が光源部から発せられてもよい。例えば、複数の光源部のそれぞれは、白色光を発する１つ以上の発光素子を有していてもよい。複数の光源部のそれぞれは、発光色が互いに異なる複数の発光素子を有していてもよい。変換部材は、量子ドットとは異なる蛍光体を有していてもよい。
【００３６】
また、（１つの）光源部から発せられて発光部から発せられる光の分布の形状が発光部の発光パターンに依存して変化する場合には、発光部の種類に依らず上記課題は生じる。例えば、光源部から発せられて発光部から発せられる光の分布の形状が発光部の発光パターンに依存して変化する場合には、変換部材を有さない発光部であっても上記課題は生じる。
【００３７】
［表示装置の構成］
本実施例に係る表示装置の構成例を説明する。図１は、本実施例に係る表示装置１００の構成例を示す。表示装置１００は、表示部１０１、発光部１０２、発光状態決定部１０３、単発光プロファイルデータ記憶部１０４、及び、周辺発光プロファイルデータ記憶部１０５を有する。また、表示装置１００は、単発光プロファイルデータ補正部１０６、表示発光分布推定部１０７、補正パラメータ生成部１０８、及び、画像処理部１０９を有する。
【００３８】
表示部１０１は、発光部１０２から発せられた光を入力画像データに基づいて変調（透過、反射、等）することにより画像を表示する。本実施例では、画像処理部１０９によって入力画像データから表示画像データが生成される。そして、表示部１０１は、画像処理部１０９から出力された表示画像データに応じて発光部１０２からの光を変調することにより画像を表示する。例えば、表示部１０１は液晶パネルである。
【００３９】
発光部１０２は、表示部１０１に対して光を照射する。上述したように、発光部１０２は、複数の光源部を有する。本実施例では、画面の領域を構成する複数の分割表示領域が、光源部の発光状態（発光輝度、発光色、等）を制御するための複数の発光制御領域として、複数の光源部にそれぞれ対応付けられている。複数の分割表示領域は、発光部１０２から発せられる光の分布を表す情報を得るための複数の推定領域（部分領域）としても使用される。透過型の液晶表示装置などでは、発光部１０２は、「バックライト装置」、「バックライトユニット」、等とも呼ばれる。
【００４０】
なお、発光制御領域は、分割表示領域に限られない。例えば、発光制御領域は他の発光制御領域から離れていてもよいし、発光制御領域の少なくとも一部が他の発光制御領域の少なくとも一部に重なっていてもよい。１つの発光制御領域に対して２つ以上の光源部が対応付けられていてもよい。発光制御領域は、画面の領域の一部であってもよいし、画面の領域の全部であってもよい。
【００４１】
また、推定領域は、分割表示領域に限られない。例えば、推定領域は、発光部１０２の発光面の一部の領域であってもよい。推定領域は他の推定領域から離れていてもよい。１つの光源部に対して２つ以上の推定領域が対応付けられていてもよい。
【００４２】
本実施例では、各光源部の発光状態は、発光状態決定部１０３から出力された発光制御
値ｂｄに応じて制御される。具体的には、発光制御値ｂｄは、光源部の発光輝度（発光強度）に対応する。そして、発光制御値ｂｄに応じて光源部の発光輝度が制御される。なお、光源部は、発光色を変更可能な構成を有していてもよい。そして、発光制御値ｂｄに応じて光源部の発光色が制御されてもよい。光源部の発光輝度と、光源部の発光色との一方が、発光制御値ｂｄに応じて制御されてもよい。光源部の発光輝度と、光源部の発光色との両方が、発光制御値ｂｄに応じて制御されてもよい。
【００４３】
本実施例では、複数の分割表示領域は、マトリクス状に配置されている。図４は、複数の分割表示領域の一例を示す模式図である。図４の例では、画面が４行５列の２０個の分割表示領域で構成されている。本実施例では、ｍ行ｎ列目の分割表示領域に対応する光源部の発光制御値ｂｄを「発光制御値ｂｄｍｎ」と記載する。例えば、１行１列目の分割表示領域４０１に対応する光源部の発光制御値ｂｄは発光制御値ｂｄ１１であり、４行５列目の分割表示領域４０２に対応する光源部の発光制御値ｂｄは発光制御値ｂｄ４５である。
【００４４】
なお、光源部の配置、光源部の数、分割発光領域の配置、分割発光領域の数、等は特に限定されない。例えば、複数の分割発光領域が千鳥格子状に配置されていてもよい。分割発光領域の数は、２０個より多くても少なくてもよい。複数の光源部が千鳥格子状に配置されていてもよい。光源部の数は、２０個より多くても少なくてもよい。
【００４５】
発光状態決定部１０３は、入力画像データに基づいて、複数の光源部のそれぞれの発光制御値ｂｄを個別に決定する。本実施例では、発光状態決定部１０３は、複数の分割表示領域のそれぞれについて、その分割表示領域における入力画像データに基づいて、当該分割表示領域に対応する光源部の発光輝度を制御するための発光制御値ｂｄを決定する。そして、発光状態決定部１０３は、複数の光源部にそれぞれ対応する複数の発光制御値ｂｄを、発光部１０２へ出力する。それにより、複数の光源部のそれぞれの発光状態が個別に制御される。発光状態決定部１０３は、複数の発光制御値ｂｄを、単発光プロファイルデータ補正部１０６と表示発光分布推定部１０７へも出力する。
【００４６】
［［発光制御値ｂｄの決定方法］］
本実施例に係る発光制御値ｂｄの決定方法の具体例を説明する。
【００４７】
（ステップ１−１）
まず、発光状態決定部１０３は、入力画像データの各画素値を輝度値Ｙに変換する。例えば、入力画像データの画素値がＲＧＢ値（Ｒ値，Ｇ値，Ｂ値）＝（Ｒ，Ｇ，Ｂ）である場合には、発光状態決定部１０３は、以下の式１を用いて輝度値Ｙを算出する。式１において、「α」、「β」、及び、「γ」は、ＲＧＢ値をＹ値に変換するための所定の係数（輝度変換係数）である。
Ｙ＝α×Ｒ＋β×Ｇ＋γ×Ｂ  ・・・（式１）
【００４８】
（ステップ１−２）
次に、発光状態決定部１０３は、複数の分割表示領域のそれぞれについて、その分割表示領域における複数の輝度値Ｙの平均値（平均輝度値）Ｙａｖを算出する。本実施例では、ｍ行ｎ列目の分割表示領域に対応する平均輝度値Ｙａｖを「平均輝度値Ｙａｖｍｎ」と記載する。
【００４９】
（ステップ１−３）
そして、発光状態決定部１０３は、複数の分割表示領域のそれぞれについて、その分割
表示領域に対応する平均輝度値Ｙａｖに応じて、当該分割表示領域に対応する光源部の発光制御値ｂｄを決定する。本実施例では、発光状態決定部１０３は、以下の式２を用いて、発光制御値ｂｄｍｎを算出する。式２において、「Ｙｍａｘ」は、輝度値Ｙの上限値である。本実施例では、発光制御値ｂｄは、０〜１の値であり、発光輝度が高いほど大きい。
ｂｄｍｎ＝Ｙａｖｍｎ÷Ｙｍａｘ  ・・・（式２）
【００５０】
なお、発光制御値ｂｄは、上記値に限られない。例えば、発光制御値ｂｄの範囲は、０〜１の範囲より広くても狭くてもよい。発光制御値ｂｄは、発光輝度が高いほど小さい値であってもよい。また、発光制御値ｂｄの決定方法は、上記方法に限られない。例えば、入力画像データの他の特徴量を用いて発光制御値ｂｄが決定されてもよい。他の特徴量として、輝度値Ｙの最大値、輝度値Ｙの最小値、輝度値Ｙの中間値、輝度値Ｙの最頻値、輝度値Ｙのヒストグラム、等を使用することができる。平均値、最大値、最小値、中間値、及び、最頻値は、「代表値」とも言える。他の特徴量として、輝度値Ｙとは異なる画素値（または階調値）の代表値、輝度値Ｙとは異なる画素値のヒストグラム、等を使用することもできる。発光制御値ｂｄの決定方法として、提案されている種々の方法を用いることができる。
【００５１】
単発光プロファイルデータ記憶部１０４には、単発光プロファイルデータが予め記録されている。単発光プロファイルデータは、基準単発光パターンに発光部１０２の発光パターンが制御される場合において発光部１０２から発せられる光の分布である基準単発光分布に関するプロファイルデータである。基準単発光パターンは、複数の光源部のうちの対応光源部が基準輝度で発光し且つ残り全ての光源部が消灯する発光パターンである。単発光プロファイルデータは、複数の光源部のそれぞれについて用いられる。本実施例では、輝度分布に関する単発光プロファイルデータが、単発光プロファイルデータ記憶部１０４に予め記録されている。単発光プロファイルデータ記憶部１０４として、磁気ディスク、光ディスク、半導体メモリ、等を使用することができる。単発光プロファイルデータ記憶部１０４は、装置（表示装置、発光装置、または、情報処理装置）に内蔵されていてもよいし、装置に対して着脱可能であってもよい。
【００５２】
本実施例では、単発光プロファイルデータは、最大値が１となるように正規化された輝度Ｆを、複数の分割表示領域のそれぞれについて示す。図５は輝度Ｆの分布の一例を示す。図５は、２行２列目の分割表示領域に対応する光源部が対応光源部である例を示す。光源部から発せられた光は、当該光源部から遠ざかるにつれ減衰する。そのため、図５では、２行２列目の分割表示領域において輝度Ｆが最大となる。そして、２行２列目の分割表示領域から遠ざかるにつれ、輝度Ｆが低下する。本実施例では、ｍ行ｎ列目の分割表示領域に対応する光源部が対応光源部である場合に、ｍ’行ｎ’列目の分割表示領域の輝度Ｆを「輝度Ｆｍｎｍ’ｎ’」と記載する。
【００５３】
なお、複数の光源部にそれぞれ対応する複数の単発光プロファイルデータが予め記録されていてもよいし、そうでなくてもよい。光源部に対応する単発光プロファイルデータは、当該光源部が対応光源部の単発光プロファイルデータである。単発光プロファイルデータの数は、光源部の数より少なくてもよい。例えば、１つの単発光プロファイルデータが予め記録されていてもよい。光源部の数より少ない２つ以上の単発光プロファイルデータが予め記録されていてもよい。単発光プロファイルデータの数が光源部の数よりも少ない場合には、例えば、１つの単発光プロファイルデータが、２つ以上の光源部にそれぞれ対応する２つ以上の単発光プロファイルデータを兼ねる。対応光源部が複数の光源部の間で変わっても基準単発光分布の形状は大きく変化しない。そのため、１つの基準単発光分布
の位置を変えることにより、１つの単発光プロファイルデータから２つ以上の光源部にそれぞれ対応する２つ以上の単発光プロファイルデータを得ることができる。また、２つ以上の光源部のそれぞれを点灯させて、当該２つ以上の光源部のそれぞれを対応光源部とする１つの単発光プロファイルデータが生成されてもよい。それにより、単発光プロファイルデータのデータサイズを低減することができる。
【００５４】
また、基準単発光パターンは、上記発光パターンに限られない。例えば、基準単発光パターンでは、対応光源部から大きく離れた光源部が点灯してもよい。単発光プロファイルデータは、図５に示すプロファイルデータに限られない。基準単発光分布に関するデータであれば、単発光プロファイルデータはどのようなデータであってもよい。基準単発光分布は、輝度分布に限られない。基準単発光分布は、色分布を含んでいてもよい。基準単発光分布は、輝度分布と色分布の一方のみを含んでもよいし、輝度分布と色分布の両方を含んでもよい。基準単発光分布は、値の種類が互いに異なる複数の分布を含んでいてもよいし、そうでなくてもよい。基準単発光分布は、ＸＹＺ三刺激値の分布、ＲＧＢ値の分布、ＹＣｂＣｒ値の分布、等であってもよい。基準輝度は、光源部の上限輝度であってもよいし、そうでなくてもよい。
【００５５】
周辺発光プロファイルデータ記憶部１０５には、周辺発光プロファイルデータが予め記録されている。周辺発光プロファイルデータは、基準周辺発光パターンに発光部１０２の発光パターンが制御される場合において発光部１０２から発せられる光の分布である基準周辺発光分布の測定結果に基づくプロファイルデータである。基準周辺発光パターンは、対応光源部と周辺光源部とが基準輝度で発光し且つ残り全ての光源部が消灯する発光パターンである。周辺発光プロファイルデータは、複数の光源部のそれぞれについて用いられる。周辺光源部は、対応光源部の周辺に存在する光源部である。本実施例では、輝度分布の測定結果に基づく周辺発光プロファイルデータが、周辺発光プロファイルデータ記憶部１０５に予め記録されている。周辺発光プロファイルデータ記憶部１０５として、磁気ディスク、光ディスク、半導体メモリ、等を使用することができる。周辺発光プロファイルデータ記憶部１０５は、装置（表示装置、発光装置、または、情報処理装置）に内蔵されていてもよいし、装置に対して着脱可能であってもよい。単発光プロファイルデータ記憶部１０４と周辺発光プロファイルデータ記憶部１０５を兼ねる１つの記憶部が使用されてもよいし、そうでなくてもよい。
【００５６】
本実施例では、周辺発光プロファイルデータは、図５の単発光プロファイルデータから推定される基準周辺発光分布と、測定された基準周辺発光分布との差（輝度差）Ｆａを示すプロファイルデータである。図６〜８は、２行２列目の分割表示領域に対応する光源部が対応光源部であり、対応光源部に隣接する８つの光源部のそれぞれが周辺光源部である例を示す。即ち、図６〜８は、１行１列目〜３行３列目までの９つの光源部のみが基準輝度で発光する場合の例を示す。図６は、測定された基準周辺発光分布を示し、図７は、推定された基準周辺発光分布を示し、図８は、輝度差Ｆａの分布を示す。
【００５７】
上記９つの光源部にそれぞれ対応する９つの基準単発光分布を合成することにより、図７の基準周辺発光分布を得ることができる。図５の単発光プロファイルデータによれば、対応光源部に対応する分割表示領域の輝度Ｆは１である。対応光源部に対応する分割表示領域に対して上下左右方向に隣接する４つの分割表示領域のそれぞれの輝度Ｆは０．５である。そして、対応光源部に対応する分割表示領域に対して斜め方向に隣接する４つの分割表示領域のそれぞれの輝度Ｆは０．３である。そのため、対応光源部に対応する分割表示領域について、基準周辺発光分布の推定値として４．２（＝１＋０．５×４＋０．３×４）が得られる。他の分割表示領域についても、同様に、基準周辺発光分布の推定値が得られる。それにより、図７の基準周辺発光分布が得られる。
【００５８】
図６，７から、基準周辺発光分布の測定値と基準周辺発光分布の推定値との差が生じることがわかる。光源部から発せられて発光部から発せられる光の分布の形状が発光部の発光パターンに依存して変化することにより、基準周辺発光分布の測定値と基準周辺発光分布の推定値との差が生じる。輝度差Ｆａは、基準周辺発光分布の測定値から基準周辺発光分布の推定値を減算することによって得られた値である。本実施例では、ｍ行ｎ列目の分割表示領域に対応する光源部が対応光源部である場合に、ｍ’行ｎ’列目の分割表示領域の輝度差Ｆａを「輝度差Ｆａｍｎｍ’ｎ’」と記載する。
【００５９】
なお、複数の光源部にそれぞれ対応する複数の周辺発光プロファイルデータが予め記録されていてもよいし、そうでなくてもよい。光源部に対応する周辺発光プロファイルデータは、当該光源部が対応光源部の周辺発光プロファイルデータである。周辺発光プロファイルデータの数は、光源部の数より少なくてもよい。例えば、１つの周辺発光プロファイルデータが予め記録されていてもよい。光源部の数より少ない２つ以上の周辺発光プロファイルデータが予め記録されていてもよい。周辺発光プロファイルデータの数が光源部の数よりも少ない場合には、例えば、１つの周辺発光プロファイルデータが、２つ以上の光源部にそれぞれ対応する２つ以上の周辺発光プロファイルデータを兼ねる。対応光源部が複数の光源部の間で変わっても基準周辺発光分布の形状は大きく変化しない。そのため、１つの基準周辺発光分布の位置を変えることにより、１つの周辺発光プロファイルデータから２つ以上の光源部にそれぞれ対応する２つ以上の周辺発光プロファイルデータを得ることができる。また、２つ以上の光源部のそれぞれを対応光源部とする１つの周辺発光プロファイルデータが生成されてもよい。それにより、周辺発光プロファイルデータのデータサイズを低減することができる。
【００６０】
また、基準周辺発光パターンは、上記発光パターンに限られない。例えば、基準周辺発光パターンでは、対応光源部から大きく離れた光源部が点灯してもよいし、対応光源部が消灯していてもよい。周辺光源部は、上記９つの光源部に限られない。周辺光源部の数は９つより多くても少なくてもよい。複数の周辺光源部は、対応光源部に隣接しない光源部を含んでもよい。対応光源部からの距離が閾値未満である光源部が、周辺光源部として使用されてもよい。周辺発光プロファイルデータは、図８に示すプロファイルデータに限られない。測定された基準周辺発光分布に基づくデータであれば、周辺発光プロファイルデータはどのようなデータであってもよい。測定された基準周辺発光分布を示すデータが、周辺発光プロファイルデータとして使用されてもよい。測定された基準周辺発光分布を周辺発光プロファイルデータから把握できれば、上記演算により、輝度差Ｆａの分布を得ることができる。輝度差Ｆａの代わりに、基準周辺発光分布の測定値と基準周辺発光分布の推定値との比などが使用されてもよい。基準周辺発光分布は、輝度分布に限られない。基準周辺発光分布は、色分布を含んでいてもよい。基準周辺発光分布は、輝度分布と色分布の一方のみを含んでもよいし、輝度分布と色分布の両方を含んでもよい。基準周辺発光分布は、値の種類が互いに異なる複数の分布を含んでいてもよいし、そうでなくてもよい。
【００６１】
本実施例では、表示発光パターン、単発光プロファイルデータ、及び、周辺発光プロファイルデータに基づいて、入力画像データの輝度を補正する補正パラメータ（処理パラメータ）が生成される。表示発光パターンは、複数の光源部のそれぞれの発光状態が入力画像データに基づいて個別に制御された発光パターンである。なお、表示発光パターンは、上記発光パターンに限られない。例えば、表示発光パターンは、装置（表示装置、発光装置、または、情報処理装置）に対してユーザが行った操作に応じた発光パターンであってもよい。補正パラメータは、入力画像データの輝度を補正するパラメータに限られない。補正パラメータは、入力画像データと発光部の発光パターンとの少なくとも一方を補正するパラメータであればよい。例えば、補正パラメータは、複数の光源部のそれぞれの発光輝度を補正するパラメータであってもよい。補正パラメータは、入力画像データの色を補正するパラメータであってもよい。補正パラメータは、複数の光源部のそれぞれの発光色
を補正するパラメータであってもよい。補正パラメータは、入力画像データの輝度、複数の光源部のそれぞれの発光輝度、入力画像データの色、及び、複数の光源部のそれぞれの発光色のいずれかを補正するパラメータであってもよい。補正パラメータは、入力画像データの輝度、複数の光源部のそれぞれの発光輝度、入力画像データの色、及び、複数の光源部のそれぞれの発光色のうちの２種類以上を補正するパラメータであってもよい。
【００６２】
単発光プロファイルデータ補正部１０６は、単発光プロファイルデータ記憶部１０４から単発光プロファイルデータを取得し、周辺発光プロファイルデータ記憶部１０５から周辺発光プロファイルデータを取得する。また、単発光プロファイルデータ補正部１０６は、各光源部の発光制御値ｂｄを、表示発光パターンに対応する発光状態（表示発光状態；対応発光状態）の情報として、発光状態決定部１０３から取得する。そして、単発光プロファイルデータ補正部１０６は、複数の光源部のそれぞれについて、その光源部を対応光源部として用いて、単発光プロファイルデータを、周辺発光プロファイルデータと周辺光源部の表示発光状態（発光制御値ｂｄ）とに基づいて補正する。以後、補正後の単発光プロファイルデータを「表示発光プロファイルデータ」と記載する。周辺発光プロファイルデータと周辺光源部の表示発光状態とを用いることにより、対応光源部に対応する分割表示領域から発せられる光に周辺光源部からの光が与える影響を考慮した表示発光プロファイルデータが得られる。表示発光プロファイルデータは、「対応光源部から発せられて発光部１０２から発せられる光の分布であり、且つ、表示発光パターンに対応する形状を有する分布である準単発光分布に関するプロファイルデータ」とも言える。
【００６３】
［［単発光プロファイルデータの補正方法］］
本実施例に係る単発光プロファイルデータの補正方法の具体例を説明する。以下では、ｍ行ｎ列目の分割表示領域に対応する光源部を対応光源部として用いた処理について説明する。単発光プロファイルデータ補正部１０６では、各光源部について以下の処理が行われる。なお、以下の方法はあくまで一例であり、単発光プロファイルデータの補正方法は以下の方法に限られない。
【００６４】
（ステップ２−１）
まず、単発光プロファイルデータ補正部１０６は、周辺光源部の表示発光状態に基づいて影響度Ｇを推定する。影響度Ｇは、周辺光源部の発光状態が表示発光状態に制御される場合において対応光源部に対応する分割表示領域から発せられる光に周辺光源部からの光が与える影響の度合いである。本実施例では、ｍ行ｎ列目の分割表示領域に対応する光源部の影響度Ｇを「影響度Ｇｍｎ」と記載する。影響度Ｇｍｎの推定方法は特に限定されないが、本実施例では、単発光プロファイルデータ補正部１０６は、以下の式３を用いて、影響度Ｇｍｎを算出する。
【数１】
2018092082.tif 000003
【００６５】
図９は、発光制御値ｂｄの分布の一例を示し、図１０は、影響度Ｇの分布の一例を示す。各光源部の発光制御値ｂｄとして図９に示す値が得られた場合には、各光源部の影響度Ｇとして図１０に示す値が得られる。
【００６６】
（ステップ２−２）
次に、単発光プロファイルデータ補正部１０６は、周辺発光プロファイルデータと影響度Ｇに基づいて単発光プロファイルデータを補正することにより、表示発光プロファイルデータを生成する。本実施例では、準単発光分布は輝度分布であり、表示発光プロファイルデータは、複数の分割表示領域のそれぞれについて輝度Ｐを示す。本実施例では、ｍ行
ｎ列目の分割表示領域に対応する光源部が対応光源部である場合に、ｍ’行ｎ’列目の分割表示領域の輝度Ｐを「輝度Ｐｍｎｍ’ｎ’」と記載する。そして、本実施例では、単発光プロファイルデータ補正部１０６は、以下の式４を用いて、輝度Ｐｍｎｍ’ｎ’を算出する。
Ｐｍｎｍ’ｎ’＝Ｆｍｎｍ’ｎ’＋Ｆａｍｎｍ’ｎ’×Ｇｍｎ  ・・・（式４）
【００６７】
なお、表示発光プロファイルデータは上記プロファイルデータに限られない。準単発光分布に関するデータであれば、表示発光プロファイルデータはどのようなデータであってもよい。準単発光分布は、輝度分布に限られない。準単発光分布は、色分布を含んでいてもよい。準単発光分布は、輝度分布と色分布の一方のみを含んでもよいし、輝度分布と色分布の両方を含んでもよい。準単発光分布は、値の種類が互いに異なる複数の分布を含んでいてもよいし、そうでなくてもよい。
【００６８】
表示発光分布推定部１０７は、各光源部の発光制御値ｂｄを、表示発光パターン（表示発光状態）の情報として、発光状態決定部１０３から取得し、各光源部の表示発光プロファイルデータは単発光プロファイルデータ補正部１０６から取得する。そして、表示発光分布推定部１０７は、表示発光プロファイルデータ（輝度Ｐ）と表示発光パターン（発光制御値ｂｄ）に基づいて、表示発光分布を推定する。表示発光分布は、表示発光パターンに発光部１０２の発光パターンが制御される場合において発光部１０２から発せられる光の分布である。
【００６９】
［［表示発光分布の推定方法］］
本実施例に係る表示発光分布の推定方法の具体例を、図１１のフローチャートを用いて説明する。図１１は、表示発光分布の推定方法の一例を示すフローチャートである。なお、以下の方法はあくまで一例であり、表示発光分布の推定方法は以下の方法に限られない。
【００７０】
まず、Ｓ１０１にて、表示発光分布推定部１０７は、複数の光源部のそれぞれについて、その光源部を対応光源部として用いて、単発光分布を、表示発光プロファイルデータと対応光源部の表示発光状態とに基づいて推定する。単発光分布は、表示発光パターンに発光部１０２の発光パターンが制御される場合において対応光源部から発せられて発光部１０２から発せられる光の分布である。単発光分布では対応光源部の表示発光状態が考慮されているのに対し、準単発光分布では対応光源部の表示発光状態が考慮されていないという点で、単発光分布は準単発光分布と異なる。本実施例では、単発光分布は輝度Ｋの分布（輝度分布）である。本実施例では、ｍ行ｎ列目の分割表示領域に対応する光源部が対応光源部である場合に、ｍ’行ｎ’列目の分割表示領域の輝度Ｋを「輝度Ｋｍｎｍ’ｎ’」と記載する。そして、本実施例では、表示発光分布推定部１０７は、以下の式５を用いて、輝度Ｋｍｎｍ’ｎ’を算出する。
Ｋｍｎｍ’ｎ’＝Ｐｍｎｍ’ｎ’×ＢＤｍｎ  ・・・（式５）
【００７１】
式５の「ＢＤｍｎ」は、発光制御値ｂｄｍｎに対応する輝度である。例えば、輝度ＢＤｍｎは、ｍ行ｎ列目の分割表示領域に対応する光源部の発光状態が表示発光状態に制御され且つ残り全ての光源部が消灯する場合において発光部１０２から発せられる光の輝度である。輝度ＢＤｍｎの取得方法は特に限定されない。例えば、発光制御値ｂｄｍｎと輝度ＢＤｍｎとの対応関係を表す変換情報（テーブル、関数、等）が予め用意されており、表示発光分布推定部１０７は、変換情報を用いて発光制御値ｂｄｍｎを輝度ＢＤｍｎに変換
する。
【００７２】
次に、Ｓ１０２とＳ１０３にて、表示発光分布推定部１０７は、複数の光源部にそれぞれ対応する複数の単発光分布を合成することにより、表示発光分布を推定する。
【００７３】
具体的には、Ｓ１０２にて、表示発光分布推定部１０７は、複数の分割表示領域のそれぞれについて、他の分割表示領域から漏れ込む光の輝度（漏れ輝度）ＳＤを、Ｓ１０１で得られた輝度Ｋに基づいて推定する。本実施例では、ｍ行ｎ列目の分割表示領域の漏れ輝度ＳＤを「漏れ輝度ＳＤｍｎ」と記載する。そして、本実施例では、表示発光分布推定部１０７は、以下の式６を用いて、漏れ輝度ＳＤｍｎを算出する。
【数２】
2018092082.tif 000004
【００７４】
そして、Ｓ１０３にて、表示発光分布推定部１０７は、Ｓ１０１で得られた輝度ＫとＳ１０２で得られた漏れ輝度ＳＤとに基づいて、表示発光分布を推定する。本実施例では、表示発光分布は輝度Ｔの分布（輝度分布）である。本実施例では、ｍ行ｎ列目の分割表示領域の輝度Ｔを「輝度Ｔｍｎ」と記載する。そして、本実施例では、表示発光分布推定部１０７は、以下の式７を用いて、輝度Ｔｍｎを算出する。輝度Ｋｍｎｍｎを基準として考えると、輝度Ｔｍｎは「漏れ光による輝度変化の度合い（輝度変化度）」とも言える。
Ｔｍｎ＝Ｋｍｎｍｎ＋ＳＤｍｎ  ・・・（式７）
【００７５】
なお、単発光分布は、輝度分布に限られない。単発光分布は、色分布を含んでいてもよい。単発光分布は、輝度分布と色分布の一方のみを含んでもよいし、輝度分布と色分布の両方を含んでもよい。単発光分布は、値の種類が互いに異なる複数の分布を含んでいてもよいし、そうでなくてもよい。表示発光分布についても同様である。
【００７６】
補正パラメータ生成部１０８は、表示発光分布推定部１０７によって推定された表示発光分布に基づいて、入力画像データの輝度を補正する補正パラメータＵを生成する。本実施例では、発光部１０２から発せられる光の輝度が補正基準輝度ＢＬＹｔから変化したことによる表示輝度（表示画像の輝度）の変化を抑制するパラメータが、補正パラメータＵとして生成される。補正基準輝度ＢＬＹｔは、例えば、ローカルディミング制御が行われない場合に発光部１０２から発せられる光の輝度である。
【００７７】
［［補正パラメータの生成方法］］
本実施例に係る補正パラメータの生成方法の具体例を説明する。本実施例では、補正パラメータ生成部１０８は、複数の分割表示領域のそれぞれについて、補正基準輝度ＢＬＹｔと輝度Ｔとに基づいて、入力画像データの画素値に乗算するゲイン値を、補正パラメータＵとして生成する。本実施例では、ｍ行ｎ列目の分割表示領域の補正パラメータＵを「補正パラメータＵｍｎ」と記載する。そして、本実施例では、補正パラメータ生成部１０８は、以下の式８を用いて、補正パラメータＵｍｎを算出する。
Ｕｍｎ＝ＢＬＹｔ÷Ｔｍｎ  ・・・（式８）
【００７８】
式８によれば、輝度Ｔｍｎが補正基準輝度ＢＬＹｔよりも低い場合には、入力画像データの輝度を高める補正パラメータＵｍｎが算出される。そして、輝度Ｔｍｎが補正基準輝
度ＢＬＹｔよりも高い場合には、入力画像データの輝度を低減する補正パラメータＵｍｎが算出される。
【００７９】
なお、補正パラメータが生成される領域（パラメータ生成領域）は分割表示領域に限られない。パラメータ生成領域の数は、分割表示領域の数より多くても少なくてもよい。パラメータ生成領域のサイズは、１画素分のサイズであってもよいし、複数画素分のサイズであってもよい。複数の分割表示領域に対応する複数の輝度Ｔの合成により、分割表示領域とは異なるパラメータ生成領域の輝度Ｔを得ることができる。同様に、複数の分割表示領域に対応する複数の補正パラメータＵの合成により、分割表示領域とは異なるパラメータ生成領域の補正パラメータＵを得ることができる。ここで、輝度Ｔが分割表示領域の所定位置（中心位置など）での輝度である場合を考える。この場合には、複数の分割表示領域に対応する複数の輝度Ｔを用いた補間により、所定位置以外の位置での輝度Ｔを得ることができる。同様に、複数の分割表示領域に対応する複数の補正パラメータＵを用いた補間により、所定位置以外の位置での補正パラメータＵを得ることができる。
【００８０】
なお、補正パラメータＵは、上記ゲイン値に限られない。例えば、入力画像データの画素値に加算するオフセット値が、補正パラメータＵとして生成されてもよい。補正基準輝度は、上記輝度に限られない。補正基準輝度は、各光源部の発光輝度が上限輝度に制御される場合に発光部１０２から発せられる光の輝度であってもよい。補正基準輝度は、入力画像データに応じて変更されてもよい。複数のパラメータ生成領域の間で補正基準輝度が異なっていてもよい。
【００８１】
なお、補正パラメータの生成方法は上記方法に限られない。上記方法では、表示発光パターン、単発光プロファイルデータ、及び、周辺発光プロファイルデータから補正パラメータを得る際に、複数の中間データが生成されるが、当該複数の中間データの少なくともいずれかが生成されなくてもよい。例えば、表示発光プロファイルデータの生成が行われずに、単発光プロファイルデータ、周辺発光プロファイルデータ、対応光源部の表示発光状態、及び、周辺光源部の表示発光状態から、単発光分布が直接推定されてもよい。表示発光プロファイルデータの生成と単発光分布の推定とが行われずに、表示発光パターン、単発光プロファイルデータ、及び、周辺発光プロファイルデータから、表示発光分布が直接推定されてもよい。表示発光分布の推定が行われずに、表示発光パターンと表示発光プロファイルデータとから、補正パラメータが直接生成されてもよい。表示発光プロファイルデータの生成と表示発光分布の推定とが行われずに、表示発光パターン、単発光プロファイルデータ、及び、周辺発光プロファイルデータから、補正パラメータが直接生成されてもよい。
【００８２】
画像処理部１０９は、補正パラメータ生成部１０８によって生成された補正パラメータに基づいて入力画像データを補正することにより、表示画像データを生成する。本実施例では、画像処理部１０９は、複数の分割表示領域のそれぞれについて、その分割表示領域における入力画像データの各画素値に、当該分割表示領域の補正パラメータＵを乗算する。そして、画像処理部１０９は、表示画像データを表示部１０１へ出力する。
【００８３】
［効果］
以上述べたように、本実施例によれば、プロファイルデータとして、単発光パラメータだけでなく、周辺発光プロファイルデータが使用される。それにより、発光装置（発光部）から発せられる光の分布に基づく処理で使用される処理パラメータ（補正パラメータ）として、高精度な処理を実現する処理パラメータを得ることができる。具体的には、光源部から発せられて発光装置から発せられる光の分布の形状が発光装置の発光パターンに依存して変化することを考慮した処理パラメータを得ることができる。ひいては、入力画像データ、発光パターン、等を高精度に補正することができ、発光装置からの光の分布を所
望の分布に制御したり、表示画像の画質を向上したりすることができる。具体的には、発光装置からの光の意図せぬ輝度ムラ、発光装置からの光の意図せぬ色ムラ、発光装置からの光の輝度ずれ、発光装置からの光の色ずれ、等を高精度に抑制することができる。表示画像の輝度ムラ、表示画像の色ムラ、表示画像の輝度ずれ、表示画像の色ずれ、等を高精度に抑制することもできる。
【００８４】
＜実施例２＞
以下、本発明の実施例２について説明する。実施例１では、入力画像データの輝度を補正する補正パラメータを生成する例を説明した。本実施例では、各光源部の発光色を補正する補正パラメータをさらに生成する例を説明する。なお、実施例１で述べように、補正パラメータは、入力画像データと発光部の発光パターンとの少なくとも一方を補正するパラメータであればよい。以下では、実施例１と異なる点（構成、処理、等）について詳しく説明し、実施例１と同様の点についての説明は省略する。
【００８５】
［表示装置の構成］
本実施例に係る表示装置の構成例を説明する。図１２は、本実施例に係る表示装置２００の構成例を示す。表示装置２００は、表示部２０１、発光部２０２、発光状態決定部２０３、単発光プロファイルデータ記憶部２０４、及び、周辺発光プロファイルデータ記憶部２０５を有する。また、表示装置２００は、単発光プロファイルデータ補正部２０６、表示発光分布推定部２０７、補正パラメータ生成部２０８、画像処理部２０９、及び、発光パターン補正部２１０を有する。
【００８６】
表示部２０１は、実施例１の表示部１０１と同様の機能を有する。発光部２０２は、実施例１の発光部２０２と同様の機能を有する。但し、本実施例では、発光部２０２が有する複数の光源部のそれぞれは、発光色を変更可能な構成を有する。具体的には、発光部２０２は、変換部材を有しておらず、複数の光源部のそれぞれは、赤色光を発する１つ以上のＬＥＤ（Ｒ−ＬＥＤ）、緑色光を発する１つ以上のＬＥＤ（Ｇ−ＬＥＤ）、及び、青色光を発する１つ以上のＬＥＤ（Ｂ−ＬＥＤ）を有する。Ｒ−ＬＥＤの発光輝度、Ｇ−ＬＥＤの発光輝度、及び、Ｂ−ＬＥＤの発光輝度の比率を変えることにより、光源部の発光色を変えることができる。
【００８７】
なお、光源部の構成は特に限定されない。発光素子として、上記３種類のＬＥＤの少なくともいずれかが使用されなくてもよいし、他のＬＥＤが使用されてもよい。例えば、黄色光を発するＬＥＤが使用されてもよい。発光色を変更可能な光源部の構成として、提案されている種々の方法を用いることができる。
【００８８】
発光状態決定部２０３は、実施例１の発光状態決定部１０３と同様の機能を有する。但し、本実施例では、複数の光源部のそれぞれについて、発光色として所定の色（例えば白色）が得られるように、Ｒ−ＬＥＤの発光制御値、Ｇ−ＬＥＤの発光制御値、及び、Ｂ−ＬＥＤの発光制御値が決定される。具体的には、実施例１と同様の方法で、発光制御値ｂｄが、Ｒ−ＬＥＤの発光制御値、Ｇ−ＬＥＤの発光制御値、及び、Ｂ−ＬＥＤの発光制御値のそれぞれとして算出される。なお、発光制御値の決定方法は特に限定されない。例えば、入力画像データの色に基づいて、光源部の発光色が決定されてもよい。
【００８９】
実施例１の単発光プロファイルデータ記憶部１０４と同様に、単発光プロファイルデータ記憶部２０４には、単発光プロファイルデータが予め記録されている。但し、本実施例では、輝度分布と色分布の両方に関する単発光プロファイルデータが、単発光プロファイルデータ記憶部２０４に予め記録されている。具体的には、ＸＹＺ三刺激値の分布に関するプロファイルデータが、単発光プロファイルデータとして記録されている。より具体的には、Ｘ値の分布に関する単Ｘプロファイルデータ、Ｙ値の分布に関する単Ｙプロファイ
ルデータ、及び、Ｚ値の分布に関する単Ｚプロファイルデータが、単発光プロファイルデータとして記録されている。この場合には、Ｘ値の分布とＺ値の分布との組み合わせが、色分布に相当する。なお、実施例１で述べたように、単発光プロファイルデータ、基準単発光分布、基準単発光パターン、等は特に限定されない。
【００９０】
本実施例では、単Ｘプロファイルデータは、Ｘ値ＦＸを、複数の分割表示領域のそれぞれについて示す。単Ｙプロファイルデータは、Ｙ値ＦＹを、複数の分割表示領域のそれぞれについて示す。そして、単Ｚプロファイルデータは、Ｚ値ＦＺを、複数の分割表示領域のそれぞれについて示す。本実施例では、ｍ行ｎ列目の分割表示領域に対応する光源部が対応光源部である場合に、ｍ’行ｎ’列目の分割表示領域のＸ値ＦＸを「輝度ＦＸｍｎｍ’ｎ’」と記載する。ｍ’行ｎ’列目の分割表示領域のＹ値ＦＹを「輝度ＦＹｍｎｍ’ｎ’」と記載する。そして、ｍ’行ｎ’列目の分割表示領域のＺ値ＦＺを「輝度ＦＺｍｎｍ’ｎ’」と記載する。
【００９１】
実施例１の周辺発光プロファイルデータ記憶部１０５と同様に、周辺発光プロファイルデータ記憶部２０５には、周辺発光プロファイルデータが予め記録されている。但し、本実施例では、輝度分布と色分布を含む分布の測定結果に基づく周辺発光プロファイルデータが、周辺発光プロファイルデータ記憶部２０５に予め記録されている。具体的には、ＸＹＺ三刺激値の分布の測定結果に基づくプロファイルデータが、周辺発光プロファイルデータとして記録されている。より具体的には、Ｘ値の分布の測定結果に基づく周辺Ｘプロファイルデータ、Ｙ値の分布の測定結果に基づく周辺Ｙプロファイルデータ、及び、Ｚ値の分布の測定結果に基づく周辺Ｚプロファイルデータが、周辺発光プロファイルデータとして記録されている。なお、実施例１で述べたように、周辺発光プロファイルデータ、基準周辺発光分布、基準周辺発光パターン、等は特に限定されない。
【００９２】
本実施例では、周辺Ｘプロファイルデータは、Ｘ差（推定されたＸ値と測定されたＸ値との差）ＦａＸを、複数の分割表示領域のそれぞれについて示す。周辺Ｙプロファイルデータは、Ｙ差（推定されたＹ値と測定されたＹ値との差）ＦａＹを、複数の分割表示領域のそれぞれについて示す。そして、周辺Ｚプロファイルデータは、Ｚ差（推定されたＺ値と測定されたＺ値との差）ＦａＺを、複数の分割表示領域のそれぞれについて示す。本実施例では、ｍ行ｎ列目の分割表示領域に対応する光源部が対応光源部である場合に、ｍ’行ｎ’列目の分割表示領域のＸ差ＦａＸを「Ｘ差ＦａＸｍｎｍ’ｎ’」と記載する。ｍ’行ｎ’列目の分割表示領域のＹ差ＦａＹを「Ｙ差ＦａＹｍｎｍ’ｎ’」と記載する。そして、ｍ’行ｎ’列目の分割表示領域のＺ値ＦａＺを「Ｚ差ＦａＺｍｎｍ’ｎ’」と記載する。
【００９３】
単発光プロファイルデータ補正部２０６は、実施例１の単発光プロファイルデータ補正部１０６と同様の機能を有する。但し、本実施例では、輝度分布と色分布の両方に関する表示発光プロファイルデータが生成される。具体的には、以下の３つのプロファイルデータのそれぞれが、表示発光プロファイルデータとして生成される。なお、実施例１で述べたように、表示発光プロファイルデータ、準単発光分布、等は特に限定されない。
・複数の分割表示領域のそれぞれについて輝度Ｐを示す輝度プロファイルデータ
・複数の分割表示領域のそれぞれについてＸ値ＰＸを示す輝度プロファイルデータ
・複数の分割表示領域のそれぞれについてＺ値ＰＺを示す輝度プロファイルデータ
【００９４】
輝度Ｐは、実施例１と同様の方法で算出される。単発光プロファイルデータに対応する輝度ＦはＸＹＺ三刺激値（Ｘ値，Ｙ値，Ｚ値）＝（ＦＸ，ＦＹ，ＦＺ）から算出でき、周辺発光プロファイルデータに対応する輝度差ＦａはＸＹＺ三刺激値の差（ＦａＸ，ＦａＹ
，ＦａＺ）から算出できる。なお、輝度Ｐの代わりにＹ値が使用されてもよい。
【００９５】
本実施例では、ｍ行ｎ列目の分割表示領域に対応する光源部が対応光源部である場合に、ｍ’行ｎ’列目の分割表示領域のＸ値ＰＸを「Ｘ値ＰＸｍｎｍ’ｎ’」と記載し、ｍ’行ｎ’列目の分割表示領域のＺ値ＰＺを「Ｚ値ＰＺｍｎｍ’ｎ’」と記載する。そして、本実施例では、単発光プロファイルデータ補正部２０６は、以下の式９，１０を用いて、Ｘ値ＰＸｍｎｍ’ｎ’とＺ値ＰＺｍｎｍ’ｎ’を算出する。
ＰＸｍｎｍ’ｎ’＝ＦＸｍｎｍ’ｎ’＋ＦＸａｍｎｍ’ｎ’×Ｇｍｎ
・・・（式９）
ＰＺｍｎｍ’ｎ’＝ＦＺｍｎｍ’ｎ’＋ＦＺａｍｎｍ’ｎ’×Ｇｍｎ
・・・（式１０）
【００９６】
表示発光分布推定部２０７は、実施例１の表示発光分布推定部１０７と同様の機能を有する。但し、本実施例では、輝度分布と色分布の両方に関する単発光分布が推定され、輝度分布と色分布の両方に関する表示発光分布が推定される。具体的には、輝度Ｋの分布、Ｘ値ＫＸの分布、及び、Ｚ値ＫＺの分布のそれぞれが、単発光分布として推定される。そして、輝度Ｔの分布、Ｘ値ＣＸの分布、及び、Ｚ値ＣＺの分布のそれぞれが、表示発光分布として推定される。なお、実施例１で述べたように、単発光分布、表示発光分布、等は特に限定されない。
【００９７】
［［表示発光分布の推定方法］］
本実施例に係る表示発光分布の推定方法の具体例を説明する。なお、以下の方法はあくまで一例であり、表示発光分布の推定方法は以下の方法に限られない。輝度Ｋ，Ｔは、実施例１と同様の方法で算出される。
【００９８】
（ステップ３−１）
まず、表示発光分布推定部２０７は、複数の光源部のそれぞれについて、その光源部を対応光源部として用いて、Ｘ値ＫＸの分布とＺ値ＫＺの分布を推定する。本実施例では、ｍ行ｎ列目の分割表示領域に対応する光源部が対応光源部である場合に、ｍ’行ｎ’列目の分割表示領域のＸ値ＫＸを「Ｘ値ＫＸｍｎｍ’ｎ’」と記載し、ｍ’行ｎ’列目の分割表示領域のＺ値ＫＺを「Ｚ値ＫＺｍｎｍ’ｎ’」と記載する。そして、本実施例では、表示発光分布推定部２０７は、以下の式１１，１２を用いて、Ｘ値ＫＸｍｎｍ’ｎ’とＺ値ＫＺｍｎｍ’ｎ’を算出する。
ＫＸｍｎｍ’ｎ’＝ＰＸｍｎｍ’ｎ’×ＢＤｍｎ  ・・・（式１１）
ＫＺｍｎｍ’ｎ’＝ＰＺｍｎｍ’ｎ’×ＢＤｍｎ  ・・・（式１２）
【００９９】
（ステップ３−２）
次に、表示発光分布推定部２０７は、複数の分割表示領域のそれぞれについて、他の分割表示領域から漏れ込む光のＸ値（漏れＸ値）ＳＸを、Ｘ値ＫＸに基づいて推定する。また、表示発光分布推定部２０７は、複数の分割表示領域のそれぞれについて、他の分割表示領域から漏れ込む光のＺ値（漏れＺ値）ＳＺを、Ｚ値ＫＺに基づいて推定する。本実施例では、ｍ行ｎ列目の分割表示領域の漏れＸ値ＳＸを「漏れＸ値ＳＸｍｎ」と記載し、ｍ行ｎ列目の分割表示領域の漏れＺ値ＳＺを「漏れＺ値ＳＺｍｎ」と記載する。そして、本実施例では、表示発光分布推定部２０７は、以下の式１３，１４を用いて、漏れＸ値ＳＸｍｎと漏れＺ値ＳＺｍｎを算出する。
【数３】
2018092082.tif 000005
【０１００】
（ステップ３−３）
そして、表示発光分布推定部２０７は、Ｘ値ＫＸ、Ｚ値ＫＺ、漏れＸ値ＳＸ、及び、漏れＺ値ＳＺに基づいて、Ｘ値ＣＸの分布とＺ値ＣＺの分布とを推定する。本実施例では、ｍ行ｎ列目の分割表示領域のＸ値ＣＸを「Ｘ値ＣＸｍｎ」と記載し、ｍ行ｎ列目の分割表示領域のＺ値ＣＺを「Ｚ値ＣＺｍｎ」と記載する。そして、本実施例では、表示発光分布推定部２０７は、以下の式１５，１６を用いて、Ｘ値ＣＸｍｎとＺ値ＣＺｍｎを算出する。Ｘ値ＫＸｍｎｍｎを基準として考えると、Ｘ値ＣＸｍｎは「漏れ光によるＸ値の変化の度合い（色変化度）」とも言える。同様に、Ｚ値ＫＺｍｎｍｎを基準として考えると、Ｚ値ＣＺｍｎは「漏れ光によるＺ値の変化の度合い（色変化度）」とも言える。
ＣＸｍｎ＝ＫＸｍｎｍｎ＋ＳＸｍｎ  ・・・（式１５）
ＣＺｍｎ＝ＫＺｍｎｍｎ＋ＳＺｍｎ  ・・・（式１６）
【０１０１】
補正パラメータ生成部２０８は、実施例１の補正パラメータ生成部１０８と同様の機能を有し、画像処理部２０９は、実施例１の画像処理部１０９と同様の機能を有する。
【０１０２】
発光パターン補正部２１０は、表示発光分布推定部２０７によって推定された表示発光分布に基づいて、発光部２０２の発光パターンを補正する補正パラメータ（発光補正パラメータ）ＷＲ，ＷＧ，ＷＢを生成する。本実施例では、発光部２０２から発せられる光のＸＹＺ三刺激値が補正基準ＸＹＺ三刺激値（ＢＬＸｕ，ＢＬＹｕ，ＢＬＺｕ）から変化することを抑制するパラメータが、発光補正パラメータＷＲ，ＷＧ，ＷＢとして生成される。補正基準ＸＹＺ三刺激値（ＢＬＸｕ，ＢＬＹｕ，ＢＬＺｕ）は、例えば、ローカルディミング制御が行われない場合に発光部２０２から発せられる光のＸＹＺ三刺激値である。
【０１０３】
［［発光補正パラメータの生成方法］］
本実施例に係る発光補正パラメータの生成方法の具体例を説明する。本実施例では、発光パターン補正部２１０は、複数の光源部（複数の分割表示領域）のそれぞれについて、発光補正パラメータＷＲ，ＷＧ，ＷＢを生成する。本実施例では、発光補正パラメータＷＲ，ＷＧ，ＷＢは、補正基準ＸＹＺ三刺激値（ＢＬＸｕ，ＢＬＹｕ，ＢＬＺｕ）、Ｘ値ＣＸ、及び、Ｚ値ＣＺに基づいて生成される。本実施例では、発光補正パラメータＷＲは、Ｒ−ＬＥＤの発光制御値ｂｄに乗算するゲイン値である。発光補正パラメータＷＧは、Ｇ−ＬＥＤの発光制御値ｂｄに乗算するゲイン値である。そして、発光補正パラメータＷＢは、Ｂ−ＬＥＤの発光制御値ｂｄに乗算するゲイン値である。
【０１０４】
（ステップ４−１）
まず、発光パターン補正部２１０は、複数の光源部のそれぞれについて、以下の式１７〜１９を用いて、ＢＬＹｕ／Ｔｕで正規化されたＸＹＺ三刺激値（ｔｍｐＸ，ｔｍｐＹ，ｔｍｐＺ）を算出する。
ｔｍｐＸ＝（ＢＬＸｕ÷ＢＬＹｕ）÷（ＣＸ÷Ｔ）  ・・・（式１７）
ｔｍｐＹ＝ＢＬＹｕ÷ＢＬＹｕ＝１                ・・・（式１８）
ｔｍｐＺ＝（ＢＬＺｕ÷ＢＬＹｕ）÷（ＣＺ÷Ｔ）  ・・・（式１９）
【０１０５】
（ステップ４−２）
次に、発光パターン補正部２１０は、ＸＹＺ三刺激値（ｔｍｐＸ，ｔｍｐＹ，ｔｍｐＺ）を発光補正パラメータ（ＷＲ，ＷＧ，ＷＢ）に変換する。本実施例では、発光パターン補正部２１０は、以下の式２０を用いて、ＸＹＺ三刺激値（ｔｍｐＸ，ｔｍｐＹ，ｔｍｐＺ）を発光補正パラメータ（ＷＲ，ＷＧ，ＷＢ）に変換する。式２０の変換行列の要素ａＸ，ａＹ，ａＺ，ｂＸ，ｂＹ，ｂＺ，ｃＸ，ｃＹ，ｃＺは、ＸＹＺ三刺激値を各ＬＥＤの発光輝度に変換する係数であり、予め用意される。
【数４】
2018092082.tif 000006
【０１０６】
なお、発光補正パラメータは上記ゲイン値に限られない。例えば、発光制御値ｂｄに加算するオフセット値が、発光補正パラメータとして生成されてもよい。補正基準ＸＹＺ三刺激値は、上記ＸＹＺ三刺激値に限られない。補正基準ＸＹＺ三刺激値は、各ＬＥＤの発光輝度が上限輝度に制御される場合に光源部から発せられる光のＸＹＺ三刺激値であってもよい。補正基準ＸＹＺ三刺激値は、入力画像データに応じて変更されてもよい。複数の光源部の間で補正基準ＸＹＺ三刺激値が異なっていてもよい。
【０１０７】
なお、発光補正パラメータの生成方法は上記方法に限られない。上記方法では、表示発光パターン、単発光プロファイルデータ、及び、周辺発光プロファイルデータから発光補正パラメータを得る際に、複数の中間データが生成されるが、当該複数の中間データの少なくともいずれかが生成されなくてもよい。
【０１０８】
そして、発光パターン補正部２１０は、生成した補正パラメータを用いて発光部２０２の発光パターンを補正する。本実施例では、発光パターン補正部２１０は、Ｒ−ＬＥＤの発光制御値ｂｄに発光補正パラメータＷＲを乗算し、Ｇ−ＬＥＤの発光制御値ｂｄに発光補正パラメータＷＧを乗算し、Ｂ−ＬＥＤの発光制御値ｂｄに発光補正パラメータＷＢを乗算する。発光パターン補正部２１０は、この処理を複数の分割表示領域のそれぞれについて行う。そして、発光パターン補正部２１０は、補正後の各発光制御値ｂｄを発光部２０２へ出力する。
【０１０９】
［効果］
以上述べたように、本実施例でも、プロファイルデータとして、単発光パラメータだけでなく、周辺発光プロファイルデータが使用される。それにより、発光装置（発光部）から発せられる光の分布に基づく処理で使用される処理パラメータ（補正パラメータ）として、高精度な処理を実現する処理パラメータを得ることができる。具体的には、実施例１では、表示画像の輝度が高精度に補正できるのに対し、本実施例では、発光部の発光色、表示画像の色、等がさらに高精度に補正できる。
【０１１０】
なお、実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。
そして、装置が有する少なくとも一部の機能部の機能が、プロセッサがメモリから制御プログラムを読み出して実行することにより実現されてもよい。
【０１１１】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。例えば、実施例２において、変換部材を有する発光部が使用されてもよい。
【０１１２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１１３】
１０４，２０４：単発光プロファイルデータ記憶部
１０５，２０５：周辺発光プロファイルデータ記憶部
１０６，２０６：単発光プロファイルデータ補正部
１０７，２０７：表示発光分布推定部
１０８，２０８：補正パラメータ生成部
２１０：発光パターン補正部
【図１】
2018092082.tif 000007
【図２】
2018092082.tif 000008
【図３】
2018092082.tif 000009
【図４】
2018092082.tif 000010
【図５】
2018092082.tif 000011
【図６】
2018092082.tif 000012
【図７】
2018092082.tif 000013
【図８】
2018092082.tif 000014
【図９】
2018092082.tif 000015
【図１０】
2018092082.tif 000016
【図１１】
2018092082.tif 000017
【図１２】
2018092082.tif 000018